(57)【特許請求の範囲】
【請求項１】
シート状のコンテナラベル基材と、このコンテナラベル基材の裏面に形成したコンテナラベル粘着剤層と、を有するとともに、このコンテナラベル粘着剤層によりコンテナの所定の面に貼り付け可能なコンテナラベルと、
前記コンテナラベル基材の表面に剥離塗工を施し、剥離塗工された該表面に貼り付け可能および取り除き可能としてあるとともに、前記コンテナないしその収容物に関するコンテナ情報を表示する情報ラベルと、を有する情報ラベル付きコンテナラベルであって、
前記コンテナラベル基材に、前記コンテナ情報のほかに、前記コンテナ内の前記収容物の一覧リストを電子的に記憶可能なＲＦＩＤタグを設けるとともに、
前記情報ラベルには、このＲＦＩＤタグの使用電波を遮断可能な電磁波遮断層を設け、前記情報ラベルを前記コンテナラベルから取り除いたのちに、このＲＦＩＤタグの前記収容物の前記一覧リストを読み取り、前記コンテナ内の現物としての前記収容物との照合確認が可能であることを特徴とする情報ラベル付きコンテナラベル。
【請求項２】
シート状のコンテナラベル基材と、このコンテナラベル基材の裏面に形成したコンテ
ナラベル粘着剤層と、を有するとともに、このコンテナラベル粘着剤層によりコンテナの
所定の面に貼り付け可能なコンテナラベルと、
前記コンテナラベル基材の表面に剥離塗工を施し、剥離塗工された該表面に貼り付け可能および取り除き可能としてあるとともに、前記コンテナないしその収容物に関するコンテナ情報を表示する情報ラベルと、を有する情報ラベル付きコンテナラベルのコンテナ情報読取り方法であって、前記コンテナラベル基材にＲＦＩＤタグを設けて、このＲＦＩＤタグに前記コンテナ情報を電子的に書き込んであるとともに、
前記情報ラベルには、このＲＦＩＤタグの使用電波を遮断可能な電磁波遮断層を設け、前記情報ラベルを前記コンテナラベルから取り除いたのちに、このＲＦＩＤタグの前記収容物の一覧リストを読み取り、前記コンテナ内の現物としての前記収容物との照合確認が可能であることを特徴とする情報ラベル付きコンテナラベルのコンテナ情報読取り方法。
【発明の詳細な説明】
【技術分野】
【０００１】
本発明は、コンテナラベル、情報ラベル付きコンテナラベル、および情報ラベル付きコンテナラベルのコンテナ情報読取り方法にかかるもので、とくにコンテナの任意の面に貼り付けて情報ラベルをその上面に貼り付け可能とするコンテナラベル、情報ラベル付きコンテナラベル、および情報ラベル付きコンテナラベルのコンテナ情報読取り方法に関するものである。
【背景技術】
【０００２】
従来のコンテナラベルについて、図４にもとづき概説する。
図４は、工場や小売店などで所定の収容物Ｍを収容し搬送するためのコンテナ１の斜視図であって、その任意の面（たとえばいずれかの側面）に、コンテナラベル２を貼り付けておき、このコンテナラベル２の上面に情報ラベル３を貼り付けるようにしている。
【０００３】
情報ラベル３は、コンテナ１ないしその収容物Ｍ（部品や商品その他の物品）に関する情報（コンテナ情報）をプリンターその他の手段により、バーコードやその他の文字を用いて表示するが、上記収容物Ｍに応じてその表示内容が変更されるため、その都度コンテナラベル２から古い情報ラベル３をはがして破棄するとともに、新たな情報を表示した情報ラベル３を貼り付ける。
情報ラベル３に印字表示されるコンテナ情報としては、バーコードなどによる収容物Ｍの識別情報、注文番号などの注文情報、納品先情報、納品日などの日付け情報などがある。
【０００４】
コンテナラベル２は、この情報ラベル３の貼付けおよび剥離用の貼付け台部分となるもので、情報ラベル３の貼付け位置を明確にし、常時同じ部位にコンテナ情報を表示することができるようにして、機械読取り操作あるいは人為的な読取り操作の便に供するとともに、情報ラベル３によるコンテナ１の汚れを防止している。
【０００５】
当該コンテナラベル２は、これをコンテナ１に貼り付けておくだけで、その表面に情報ラベル３を貼り付けるとともに容易に剥離することができるようなラベル貼着部として機能するものではあるが、コンテナ１内の収容物Ｍの具体的数量その他の詳細については、別途の明細書や納品書などの書類Ｄに表示されている一覧リストなどを用いて、これら一覧リストなどによる情報と、コンテナ１内の実際の収容物Ｍと、を照合し確認する必要があるという問題がある。
【０００６】
【特許文献１】特開平９−１１４３８３号公報
【発明の開示】
【発明が解決しようとする課題】
【０００７】
本発明は以上のような諸問題にかんがみなされたもので、明細書や納品書などの書類を別途に必要とせずに、コンテナの収容物の確認を行うことができるコンテナラベル、情報ラベル付きコンテナラベル、および情報ラベル付きコンテナラベルのコンテナ情報読取り方法を提供することを課題とする。
【０００８】
また本発明は、コンテナ内に収容されている収容物に関する情報（コンテナ情報）を電子的に保持可能なコンテナラベル、情報ラベル付きコンテナラベル、および情報ラベル付きコンテナラベルのコンテナ情報読取り方法を提供することを課題とする。
【０００９】
また本発明は、内部に保持している、ないしは保持する予定の収容物の各種情報を電子的に簡単に読み取り、かつ書き込むことができるようにしたコンテナラベル、情報ラベル付きコンテナラベル、および情報ラベル付きコンテナラベルのコンテナ情報読取り方法を提供することを課題とする。
【課題を解決するための手段】
【００１１】
第一の発明は、シート状のコンテナラベル基材と、このコンテナラベル基材の裏面に形成したコンテナラベル粘着剤層と、を有するとともに、このコンテナラベル粘着剤層によりコンテナの所定の面に貼り付け可能なコンテナラベルと、前記コンテナラベル基材の表面に剥離塗工を施し、剥離塗工された該表面に貼り付け可能および取り除き可能としてあるとともに、前記コンテナないしその収容物に関するコンテナ情報を表示する情報ラベルと、を有する情報ラベル付きコンテナラベルであって、前記コンテナラベル基材に、前記コンテナ情報のほかに、前記コンテナ内の前記収容物の一覧リストを電子的に記憶可能なＲＦＩＤタグを設けるとともに、前記情報ラベルには、このＲＦＩＤタグの使用電波を遮断可能な電磁波遮断層を設け、前記情報ラベルを前記コンテナラベルから取り除いたのちに、このＲＦＩＤタグの前記収容物の前記一覧リストを読み取り、前記コンテナ内の現物としての前記収容物との照合確認が可能であることを特徴とする情報ラベル付きコンテナラベルである。
【００１２】
第ニの発明は、シート状のコンテナラベル基材と、このコンテナラベル基材の裏面に形成したコンテナラベル粘着剤層と、を有するとともに、このコンテナラベル粘着剤層によりコンテナの所定の面に貼り付け可能なコンテナラベルと、前記コンテナラベル基材の表面に剥離塗工を施し、剥離塗工された該表面に貼り付け可能および取り除き可能としてあるとともに、前記コンテナないしその収容物に関するコンテナ情報を表示する情報ラベルと、を有する情報ラベル付きコンテナラベルのコンテナ情報読取り方法であって、前記コンテナラベル基材にＲＦＩＤタグを設けて、このＲＦＩＤタグに前記コンテナ情報を電子的に書き込んであるとともに、前記情報ラベルには、このＲＦＩＤタグの使用電波を遮断可能な電磁波遮断層を設け、前記情報ラベルを前記コンテナラベルから取り除いたのちに、このＲＦＩＤタグの前記収容物の一覧リストを読み取り、前記コンテナ内の現物としての前記収容物との照合確認が可能であることを特徴とする情報ラベル付きコンテナラベルのコンテナ情報読取り方法である。
【００１３】
上記ＲＦＩＤタグは、無線によりコンテナ情報を電子的に書き込み可能および読み取り可能であれば、コンテナへの収容物に応じて任意のタイプのものを採用可能であり、その使用電波の周波数も任意にこれを選択可能である。
【発明の効果】
【００１４】
本発明によるコンテナラベル、情報ラベル付きコンテナラベル、および情報ラベル付きコンテナラベルのコンテナ情報読取り方法においては、無線的に電子データを書き込みおよび読み取り可能なＲＦＩＤタグをコンテナラベルの内部に組み込んでいるので、その表面に情報ラベルを貼り付け可能および剥離可能であるとともに、コンテナラベル内に収容する各種の収容物についての情報をＲＦＩＤタグ内に電子データとして書き込んで記憶保持し、また搬送先での電子的な読取り操作により、電子的に情報を読み取り、明細書や納品書などの書類を別途に必要とせずに、実際に収容されている収容物との照合および確認を行うことができる。
【００１５】
とくに第一の発明によれば、コンテナ情報を電子的に記憶可能なＲＦＩＤタグをコンテナラベル基材に設けたので、このＲＦＩＤタグのコンテナ情報を読み取ることにより、明細書や納品書などの書類なしに収容物の照合を簡単に行うことができる。
【００１６】
とくに第二の発明によれば、ＲＦＩＤタグの使用電波を遮断可能な電磁波遮断層を情報ラベルに設けたので、情報ラベルをコンテナラベルに貼り付けた状態では、ＲＦＩＤタグのコンテナ情報を読み取ることはできず、情報ラベルによりコンテナ情報を表示しつつ、コンテナ搬送中のデータ読取りを行うことができないようにして情報の保安を確保可能である。
【００１７】
とくに第三の発明によれば、ＲＦＩＤタグの使用電波を遮断可能な電磁波遮断層を情報ラベルに設けて、この情報ラベルをコンテナラベルから取り除いたのちに、このＲＦＩＤタグのコンテナ情報を読み取るようにしたので、コンテナの受取り場所において、不用意なデータ読取りミスなどを回避することができる。
【発明を実施するための最良の形態】
【００１８】
本発明は、ＩＣチップおよびアンテナを有するＲＦＩＤタグをコンテナラベル基材に組み込む構成としたので、このＲＦＩＤタグに収容物に関する各種の情報（コンテナ情報）を電子的に書き込みおよび読み取り可能であり、すなわち、コンテナラベルが有する下地ラベル機能と、コンテナ情報を記憶したデータ保持機能と、をともに持たせることができるもので、明細書や納品書などの書類などを必要とせずに、収容物の照合および確認を行うことができるコンテナラベル、情報ラベル付きコンテナラベル、および情報ラベル付きコンテナラベルのコンテナ情報読取り方法を実現した。
【実施例】
【００１９】
つぎに本発明の実施例によるコンテナラベル１１、同、情報ラベル付きコンテナラベル１０、および情報ラベル付きコンテナラベル１０のコンテナ情報読取り方法を図１ないし図３にもとづき説明する。ただし、図４と同様の部分には同一符号を付し、その詳述はこれを省略する。
図１は、情報ラベル付きコンテナラベル１０の平面図、図２は、図１のＩＩ−ＩＩ線断面図であって、情報ラベル付きコンテナラベル１０は、コンテナラベル１１と、情報ラベル１２と、を有する多層ラベル構造を呈している。
【００２０】
コンテナラベル１１は、合成樹脂製フィルム材料その他の材料による耐久性のあるシート状のコンテナラベル基材１３と、コンテナラベル基材１３の裏面に形成したコンテナラベル粘着剤層１４と、コンテナラベル基材１３の裏面側（コンテナラベル基材１３とコンテナラベル粘着剤層１４との境界層部分）に設けたＲＦＩＤタグ１５と、コンテナラベル基材１３の表面側の情報ラベル貼付け面１６と、を有するとともに、コンテナラベル粘着剤層１４により前記コンテナ１の所定の面に貼り付け可能である。
【００２１】
ＲＦＩＤタグ１５は、図２に拡大して概略的に示すように、ＩＣチップ１７およびアンテナ１８を有しており、コンテナ１ないしその収容物に関するコンテナ情報をＩＣチップ１７に電子的に記憶可能であって、アンテナ１８を介して無線によりコンテナ情報を書き込み可能および読み取り可能である。
ＲＦＩＤタグ１５に電子的に書き込まれるコンテナ情報としては、収容物Ｍの識別情報、注文番号などの注文情報、納品先情報、納品日などの日付け情報などのほかに、コンテナ１内の収容物Ｍの一覧リストであって、その物品名や数量などの情報がある。
【００２２】
情報ラベル貼付け面１６は、これに剥離塗工を施すか、あるいは凹凸形状のディンプル層を形成して貼付け面積を減少させて、剥離抵抗を低下させてあり、情報ラベル１２をコンテナラベル基材１３の表面に貼り付け可能および取り除き可能としてある。
【００２３】
情報ラベル１２は、一般的な紙材料による、望ましくは廉価なシート状の情報ラベル基材１９と、この情報ラベル基材１９の裏面に形成した電磁波遮断層２０と、この電磁波遮断層２０の裏面に形成した情報ラベル粘着剤層２１と、を有する。
【００２４】
情報ラベル基材１９の表面には、コンテナ情報をプリンターその他の手段により、バーコードやその他の文字を用いて印字内容２２として表示する。
印字内容２２は、  上記コンテナ情報のうち、収容物Ｍの識別情報、注文番号などの注文情報、納品先情報、納品日などの日付け情報などがある。
【００２５】
電磁波遮断層２０は、ＲＦＩＤタグ１５の使用電波をその周波数に応じて吸収することによりＲＦＩＤタグ１５を外部からの電波から遮断可能であって、コンテナラベル１１が有するＲＦＩＤタグ１５のコンテナ情報を保護するためのものである。
すなわち、コンテナ１およびその収容物Ｍを運搬中に、ＲＦＩＤタグ１５が周辺の電波の影響を受けてコンテナ情報が書き換わってしまうことを防止可能であって、ＲＦＩＤタグ１５のコンテナ情報を読み取ることなく、届け先までコンテナ１を運搬するようにしている。
【００２６】
こうした構成の情報ラベル付きコンテナラベル１０およびコンテナラベル１１において、コンテナ１の届け先では、情報ラベル１２に表示されているコンテナ情報たとえば注文情報や納品情報などを見て確認したのち、情報ラベル１２をコンテナラベル１１から取り除いた状態で、ＲＦＩＤタグ１５のコンテナ情報を読み取るものである。
すなわち、図３は、コンテナラベル１１から情報ラベル１２を取り除いた状態のコンテナラベル１１の断面図であって、情報ラベル１２がコンテナラベル１１の表面から取り除かれることにより、電磁波遮断層２０もコンテナラベル１１の表面からなくなるので、リーダーライター２３によりＲＦＩＤタグ１５のコンテナ情報を読み取ることが可能となり、別途の前記明細書や納品書などの書類Ｄなどを必要とせず、ＲＦＩＤタグ１５の識別情報と情報ラベル１２の識別情報とを照合し、コンテナ１内の現物としての収容物Ｍと商品やその数量などのコンテナ情報との照合確認を容易に行うことができる。
【００２７】
かくして、ＲＦＩＤタグ１５からのコンテナ情報を確認することにより、どこから何の物品ないし商品（収容物Ｍ）がどのくらいの数量だけ届けられたかを受け入れ検査において簡単に照合確認することができるとともに、不良品や不足品がある場合には、出荷先に要請ないし問い合わせの情報を直ちに送信することもできる。
【図面の簡単な説明】
【００２８】
【図１】本発明の実施例によるコンテナラベル１１および情報ラベル付きコンテナラベル１０の平面図である。
【図２】同、図１のＩＩ−ＩＩ線断面図である。
【図３】同、コンテナラベル１１から情報ラベル１２を取り除いた状態のコンテナラベル１１の断面図である。
【図４】従来からの、工場や小売店などで所定の収容物Ｍを収容し搬送するためのコンテナ１の斜視図である。
【符号の説明】
【００２９】
１  コンテナ（図４）
２  コンテナラベル（従来）
３  情報ラベル
１０  情報ラベル付きコンテナラベル（実施例、図１、図２）
１１  コンテナラベル（実施例、図１、図２、図３）
１２  情報ラベル
１３  コンテナラベル基材
１４  コンテナラベル粘着剤層
１５  ＲＦＩＤタグ
１６  情報ラベル貼付け面
１７  ＩＣチップ
１８  アンテナ
１９  情報ラベル基材
２０  電磁波遮断層
２１  情報ラベル粘着剤層
２２  印字内容
２３  リーダーライター
Ｍ    コンテナ１内への収容物（図４）
Ｄ    明細書や納品書などの書類
【図１】
0005285291.tif 000002
【図２】
0005285291.tif 000003
【図３】
0005285291.tif 000004
【図４】
0005285291.tif 000005